(57)【要約】【課題】脱いだ時に鼻緒が持ち上がったままの形になりにくく、全体形状が変形しにくい、長期にわたって見栄えの良い状態と良好な履き心地を保つことができる草履型室内履きを提供する。【解決手段】鼻緒本体８の一端部が土台２の表面側から裏面側へ向けて挿入されている第１挿通部と、第１挿通部から前方側に設けられ、第１挿通部に通された鼻緒本体８の一端部が土台２の裏面側から表面側へ向けて挿入されている第２挿通部と、第１挿通部から前方側かつ第２挿通部より外側に設けられ、第２挿通部を通って鼻緒本体８の付け根部に内側から上側を通って外側へと回し付けられた鼻緒本体８の一端部が土台２の表面側から裏面側へ向けて挿入されている第３挿通部とを有することを特徴とする。【選択図】図１
2019141191.tif 000002
【特許請求の範囲】
【請求項１】
骨格となる紐材にニットヤーンを編み付けることにより形成され、長手方向前方に前ツボ取付部、長手方向中間部に端部取付部を有する土台と、
前記前ツボ取付部に取り付けられる前ツボと、中腹部が当該前ツボに連結されるとともに各端部が前記端部取付部に挿通されて裏面側で互いに結び付けられることにより前記土台に対して取り付けられる鼻緒本体とにより構成される鼻緒とを有する草履型室内履きにおいて、
前記紐材は、前記土台の外形を形作る左右一対の外側紐部を構成する大ループと、前記外側紐部のそれぞれに連なり右側の前記外側紐部と左側の前記外側紐部との間に配置される内側紐部を構成する２つの小ループを含む一本の紐材により構成され、
前記端部取付部は、右側の前記外側紐部と該外側紐部に隣り合う前記内側紐部との間、及び、左側の前記外側紐部と該外側紐部に隣り合う前記内側紐部との間のそれぞれに設けられており、
前記土台の長手方向中間部に設けられ、前記鼻緒本体の一端部が前記土台の表面側から裏面側へ向けて挿入されている第１挿通部と、
前記第１挿通部から６ｍｍ〜１９ｍｍ前方側に設けられ、前記第１挿通部に通された前記鼻緒本体の一端部が前記土台の裏面側から表面側へ向けて挿入されている第２挿通部と、
前記第１挿通部から６ｍｍ〜１９ｍｍ前方側かつ前記第２挿通部より外側に設けられ、前記第２挿通部を通って前記鼻緒本体の付け根部に内側から上側を通って外側へと回し付けられた前記鼻緒本体の一端部が前記土台の表面側から裏面側へ向けて挿入されている第３挿通部と、
を有することを特徴とする草履型室内履き。
【請求項２】
鼻緒本体の一端部が土台の表面側から裏面側へ向けて挿入されている第１挿通部と、前記第１挿通部から前方側に設けられ、前記第１挿通部に通された前記鼻緒本体の一端部が前記土台の裏面側から表面側へ向けて挿入されている第２挿通部と、前記第１挿通部から前方側かつ前記第２挿通部より外側に設けられ、前記第２挿通部を通って前記鼻緒本体の付け根部に内側から上側を通って外側へと回し付けられた前記鼻緒本体の一端部が前記土台の表面側から裏面側へ向けて挿入されている第３挿通部とを有することを特徴とする草履型室内履き。
【請求項３】
骨格となる紐材とニットヤーンとを用いてワラジ状の編み目を連続的に設けて土台を製作する土台製作工程と、
鼻緒本体と前ツボとにより構成される鼻緒を前記土台に対して取り付ける鼻緒取付工程とを含む草履型室内履きの製造方法において、
前記土台製作工程は、
前記紐材を中央で大ループ、両端それぞれで小ループを形成し、前記大ループで前記土台の外形を形作る左右一対の外側紐部を形成し、前記小ループで前記外側紐部のそれぞれに連なり左右一対の前記外側紐部の間に配置される内側紐部を形成するステップを含み、
前記鼻緒取付工程は、
前記土台の長手方向中間部であって前記外側紐部と前記内側紐部との間に設けられた第１挿通部に対して、前記鼻緒本体の一端部を、前記土台の表面側から裏面側へ向けて挿入する第１ステップと、
前記第１挿通部から６ｍｍ〜１９ｍｍ前方側であって、前記外側紐部と前記内側紐部との間に設けられた第２挿通部に対して、前記第１ステップを実行した後の前記鼻緒本体の一端部を、前記土台の裏面側から表面側へ向けて挿入する第２ステップと、
前記第２ステップを実行した後の前記鼻緒本体の一端部を、前記鼻緒の付け根部に内側から上側を通って外側へと回し付ける第３ステップと、
前記第１挿通部から６ｍｍ〜１９ｍｍ前方側かつ前記第２挿通部より外側であって前記外側紐部と前記内側紐部との間に設けられた第３挿通部に対して、前記第３ステップを実行した後の前記鼻緒本体の一端部を、前記土台の表面側から裏面側へ向けて挿入する第４ステップとを含むことを特徴とする草履型室内履きの製造方法。
【発明の詳細な説明】
【技術分野】
【０００１】
本発明は、草履型室内履き、特に、土台を製作した後に鼻緒を後付けするタイプの草履型室内履き及びその製造方法に関する。
【背景技術】
【０００２】
従来、布製の草履が知られているが（例えば、特許文献１参照）、草履型室内履きが開発され、その快適さ等から、室内履きとして、スリッパ等から草履型室内履きに替える人が徐々に増えている。
【０００３】
草履型室内履きには、足裏を載せる土台を製作する一連の過程の中で鼻緒を作り込むタイプと、土台に対して鼻緒を後付けするタイプとがある。
【先行技術文献】
【特許文献】
【０００４】
【特許文献１】実用新案登録第３１４００８６号公報
【発明の概要】
【発明が解決しようとする課題】
【０００５】
上述したいずれのタイプも、長期に使用すると、室内履きの土台が体重等の負荷により足の形になじみ、特に、前ツボの回りが沈み込み、鼻緒がゆるんで、フィット感が悪くなってしまう。鼻緒が緩んでくると、前者のタイプでは、鼻緒を締め直して調整することが難しく、土台が悪くなる前でも捨てることになるという問題があった。
【０００６】
一方、後者のタイプは、鼻緒と土台とが別体として形成されており、鼻緒本体の各端部が土台の表面側から挿通され、裏面側において相互に結び付けられている。そのため、足の形状や履き心地等にあわせて任意の位置に鼻緒を結び付け直したり、鼻緒を締め直して調整しやすい等の利点がある。
【０００７】
従来の方法では、図１１に示すように、鼻緒１０８の端部１８１は土台１０２の外縁１２１を巻き込むようにして取り付けられるため、鼻緒１０８の付け根部１８２（固定部）をロックする力が弱く、鼻緒１０８の付け根部１８２から鼻緒本体が抜け出て持ち上がりやすく、脱いだ時に鼻緒１０８が持ち上がったままの形になるという問題があった。
【０００８】
また、従来の方法では、土台の外形を形作る外側紐部を巻き込むようにして鼻緒の両端部を結び付けることになるため、鼻緒が強く引っ張られたときに、外側紐部が変形して、土台の骨格がゆがんでしまい、全体形状が変形してしまうおそれがあるという問題があった。
【０００９】
したがって、本発明の目的は、上記した課題を解決し、脱いだ時に鼻緒が持ち上がったままの形になりにくく、全体形状が変形しにくい、長期にわたって見栄えの良い状態と良好な履き心地を保つことができる草履型室内履き及びその製造方法を提供することにある。
【課題を解決するための手段】
【００１０】
本発明の第１の態様は、上記目的を達成するため、骨格となる紐材にニットヤーンを編み付けることにより形成され、長手方向前方に前ツボ取付部、長手方向中間部に端部取付部を有する土台と、
前記前ツボ取付部に取り付けられる前ツボと、中腹部が当該前ツボに連結されるとともに各端部が前記端部取付部に挿通されて裏面側で互いに結び付けられることにより前記土台に対して取り付けられる鼻緒本体とにより構成される鼻緒とを有する草履型室内履きにおいて、
前記紐材は、前記土台の外形を形作る左右一対の外側紐部を構成する大ループと、前記外側紐部のそれぞれに連なり右側の前記外側紐部と左側の前記外側紐部との間に配置される内側紐部を構成する２つの小ループを含む一本の紐材により構成され、
前記端部取付部は、右側の前記外側紐部と該外側紐部に隣り合う前記内側紐部との間、及び、左側の前記外側紐部と該外側紐部に隣り合う前記内側紐部との間のそれぞれに設けられており、
前記土台の長手方向中間部に設けられ、前記鼻緒本体の一端部が前記土台の表面側から裏面側へ向けて挿入されている第１挿通部と、
前記第１挿通部から６ｍｍ〜１９ｍｍ前方側に設けられ、前記第１挿通部に通された前記鼻緒本体の一端部が前記土台の裏面側から表面側へ向けて挿入されている第２挿通部と、
前記第１挿通部から６ｍｍ〜１９ｍｍ前方側かつ前記第２挿通部より外側に設けられ、前記第２挿通部を通って前記鼻緒本体の付け根部に内側から上側を通って外側へと回し付けられた前記鼻緒本体の一端部が前記土台の表面側から裏面側へ向けて挿入されている第３挿通部と、
を有することを特徴とする草履型室内履きを提供する。
【００１１】
本発明の第１の態様によれば、鼻緒の付け根部（固定部）をロックする力が強く、試し履きをしたり、鼻緒の具合を確かめる等のため鼻緒が引っ張られたときでも、鼻緒の付け根部から鼻緒本体が抜け出て持ち上がりにくい。したがって、脱いだ時に鼻緒が持ち上がったままの形になりにくく、全体形状が変形しにくい、長期にわたって見栄えの良い状態と良好な履き心地を保つことができる。試し履きされた後でも、売り物として再陳列する際の結び直しの手間が少なくなる。
【００１２】
前記前ツボの一方の端部が右側から１つ目の内側紐部と２つ目の内側紐部の間を通って前記前ツボ取付部の裏面側に挿入され、前記前ツボの他方の端部が左側から１つ目の内側紐部と２つ目の内側紐部の間を通って前記前ツボ取付部の裏面側に挿入され、前記土台の裏面側で互いに結び付けられていることが好ましい。かかる構成により、前ツボが位置ずれし難くなる。
【００１３】
本発明の第２の態様は、上記目的を達成するため、鼻緒本体の一端部が土台の表面側から裏面側へ向けて挿入されている第１挿通部と、前記第１挿通部から前方側に設けられ、前記第１挿通部に通された前記鼻緒本体の一端部が前記土台の裏面側から表面側へ向けて挿入されている第２挿通部と、前記第１挿通部から前方側かつ前記第２挿通部より外側に設けられ、前記第２挿通部を通って前記鼻緒本体の付け根部に内側から上側を通って外側へと回し付けられた前記鼻緒本体の一端部が前記土台の表面側から裏面側へ向けて挿入されている第３挿通部とを有することを特徴とする草履型室内履きを提供する。本発明の第２の態様によれば、脱いだ時に鼻緒が持ち上がったままの形になりにくく、全体形状が変形しにくい、長期にわたって見栄えの良い状態と良好な履き心地を保つことができる。
【００１４】
本発明の第３の態様は、上記目的を達成するため、骨格となる紐材とニットヤーンとを用いてワラジ状の編み目を連続的に設けて土台を製作する土台製作工程と、
鼻緒本体と前ツボとにより構成される鼻緒を前記土台に対して取り付ける鼻緒取付工程とを含む草履型室内履きの製造方法において、
前記土台製作工程は、
前記紐材を中央で大ループ、両端それぞれで小ループを形成し、前記大ループで前記土台の外形を形作る左右一対の外側紐部を形成し、前記小ループで前記外側紐部のそれぞれに連なり左右一対の前記外側紐部の間に配置される内側紐部を形成するステップを含み、
前記鼻緒取付工程は、
前記土台の長手方向中間部であって前記外側紐部と前記内側紐部との間に設けられた第１挿通部に対して、前記鼻緒本体の一端部を、前記土台の表面側から裏面側へ向けて挿入する第１ステップと、
前記第１挿通部から６ｍｍ〜１９ｍｍ前方側であって、前記外側紐部と前記内側紐部との間に設けられた第２挿通部に対して、前記第１ステップを実行した後の前記鼻緒本体の一端部を、前記土台の裏面側から表面側へ向けて挿入する第２ステップと、
前記第２ステップを実行した後の前記鼻緒本体の一端部を、前記鼻緒の付け根部に内側から上側を通って外側へと回し付ける第３ステップと、
前記第１挿通部から６ｍｍ〜１９ｍｍ前方側かつ前記第２挿通部より外側であって前記外側紐部と前記内側紐部との間に設けられた第３挿通部に対して、前記第３ステップを実行した後の前記鼻緒本体の一端部を、前記土台の表面側から裏面側へ向けて挿入する第４ステップとを含むことを特徴とする草履型室内履きの製造方法を提供する。かかる方法で製造した草履型室内履きは、鼻緒の付け根部（固定部）をロックする力が強く、試し履きをしたり、鼻緒の具合を確かめる等のため鼻緒が引っ張られたときでも、鼻緒の付け根部から鼻緒本体が抜け出て持ち上がりにくい。したがって、脱いだ時に鼻緒が持ち上がったままの形になりにくく、全体形状が変形しにくい、長期にわたって見栄えの良い状態と良好な履き心地を保つことができる。試し履きされた後でも、売り物として再陳列する際の結び直しの手間が少なくなる。
【発明の効果】
【００１５】
本発明によれば、脱いだ時に鼻緒が持ち上がったままの形になりにくく、全体形状が変形しにくい、長期にわたって見栄えの良い状態と良好な履き心地を保つことができる。
【図面の簡単な説明】
【００１６】
【図１】本発明の第１実施例である草履型室内履きの上面図である。
【図２】本発明の第１実施例である草履型室内履きの底面図である。
【図３】本発明の第１実施例である草履型室内履きの内部構造を説明する図である。
【図４】本発明の第１実施例である草履型室内履きの製作工程説明図（１）である。
【図５】本発明の第１実施例である草履型室内履きの製作工程説明図（２）である。
【図６】本発明の第１実施例である草履型室内履きの製作工程説明図（３）である。
【図７】本発明の第１実施例である草履型室内履きの製作工程説明図（４）である。
【図８】本発明の第１実施例である草履型室内履きの前ツボの取付状態説明図である。
【図９】本発明の第１実施例である草履型室内履きの底面側部分拡大図（１）である。
【図１０】本発明の第１実施例である草履型室内履きの底面側部分拡大図（２）である。
【図１１】従来の草履型室内履きの製作工程説明図である。
【発明を実施するための形態】
【００１７】
以下、本発明について、適宜図面を参照しつつ、実施例を用いて本発明を具体的に説明するが、本発明はこれらに限定されるものではない。
【実施例１】
【００１８】
｛構成｝
（全体構成）
先ず、本発明の第１実施例である草履型室内履き１の全体構成について説明する。
【００１９】
図１は、本発明の第１実施例である草履型室内履きの上面図である。図１では土台に対して鼻緒を取り付けた状態を示す。図２は、本発明の第１実施例である草履型室内履きの底面図である。図２では土台に対して鼻緒を取り付けた状態を示す。図３は、本発明の第１実施例である草履型室内履きの内部構造を説明する図である。図３では土台の製作途中の状態を示す。
【００２０】
本実施例の草履型室内履き１は、土台２と、鼻緒６とを有する草履型室内履きである。土台２は、骨格となる紐材４にニットヤーン５を編み付けることにより形成され、長手方向前方に前ツボ取付部９、長手方向中間部に端部取付部３を有する。土台２の外表面には、ワラジ状の編み目が連続的に設けられている。鼻緒６は、前ツボ取付部９に取り付けられる前ツボ７と、中腹部が前ツボ７に連結されるとともに各端部７１が端部取付部３に挿通されて裏面側で互いに結び付けられることにより土台２に対して取り付けられる鼻緒本体８とにより構成される。
【００２１】
図３に示されるとおり、本実施例の草履型室内履き１においては、紐材４は、土台２の外形を形作る左右一対の外側紐部４１ａ、４１ｂを構成する大ループ４６と、外側紐部４１ａ、４１ｂのそれぞれに連なり右側の外側紐部４１ａと左側の外側紐部４１ｂとの間に配置される内側紐部４２ｄ、４２ａ、４２ｂ、４２ｃを構成する２つの小ループ４５ａ、４５ｂを含む一本の紐材４により構成される。
【００２２】
また、図１及び図３に示されるとおり、本実施例の草履型室内履き１においては、端部取付部３は、右側の外側紐部４１ａと外側紐部４１ａに隣り合う内側紐部４２ａ、４２ｂとの間、及び、左側の外側紐部４１ｂと外側紐部４１ｂに隣り合う内側紐部４２ｃ、４２ｄとの間のそれぞれに設けられている。図３に示されるとおり、小ループ４５ａは外側紐部４１ａから連なる内側紐部４２ｄとこれに連なる内側紐部４２ａを含み、小ループ４５ｂは外側紐部４１ｂから連なる内側紐部４２ｂとこれに連なる内側紐部４２ｃを含む。なお、説明の便宜上、端部取付部３のうち、土台２の右側に配置される方を端部取付部３ａとし、土台２の左側に配置される方を端部取付部３ｂとして図示する。
【００２３】
図４は、本発明の第１実施例である草履型室内履きの製作工程説明図（１）である。図４では土台の第１挿通部に対して鼻緒本体の一端部を挿入した状態を右側面側から示す。また、図５は、本発明の第１実施例である草履型室内履きの製作工程説明図（２）である。図５は土台の第２挿通部に対して鼻緒本体の一端部を挿入した状態を一部省略して上面側から示した部分拡大図である。また、図６は、本発明の第１実施例である草履型室内履きの製作工程説明図（３）である。図６は土台の第２挿通部に挿入された鼻緒本体の一端部を鼻緒本体の付け根部に回し付けた状態を一部省略して上面側から示した部分拡大図である。また、図７は、本発明の第１実施例である草履型室内履きの製作工程説明図（４）である。図７では土台の第３挿通部に対して鼻緒本体の一端部を挿入した状態を一部省略して右側面側から示す。
【００２４】
図４及び図７に示されるとおり、本実施例の草履型室内履き１では、端部取付部３は、第１挿通部３１と第２挿通部３２と第３挿通部３３とを有する。
【００２５】
図４に示されるとおり、本実施例の草履型室内履き１では、第１挿通部３１は、土台２の長手方向中間部に設けられ、鼻緒本体８の一端部が土台２の表面側から裏面側へ向けて挿入されている。図４及び図５に示されるとおり、本実施例の草履型室内履き１では、第２挿通部３２は、第１挿通部３１から１０ｍｍ前方側に設けられ、第１挿通部３１に通された鼻緒本体８の一端部が土台２の裏面側から表面側へ向けて挿入されている。図６及び図７に示されるとおり、本実施例の草履型室内履き１では、第３挿通部３３は、第１挿通部３１から１０ｍｍ前方側かつ第２挿通部３２より外側に設けられ、第２挿通部３２を通って鼻緒本体８の付け根部８２に内側から上側を通って外側へと回し付けられた鼻緒本体８の一端部が土台２の表面側から裏面側へ向けて挿入されている。
【００２６】
第２挿通部３２と第３挿通部３３は、ともに、第１挿通部３１から６ｍｍ〜１９ｍｍ前方側に設けられることが好ましく、第１挿通部３１から８ｍｍ〜１８ｍｍ前方側に設けられることがより好ましく、第１挿通部３１から１０ｍｍ前方側に設けられることが最適である。本発明者は、試行錯誤の上、第２挿通部３２及び第３挿通部３３を、第１挿通部３１から好ましくは６ｍｍ〜１９ｍｍ前端側、より好ましくは８ｍｍ〜１８ｍｍ前端側に設けるようにすると、脱いだ時に鼻緒が持ち上がったままの形になりにくく、全体形状が変形しにくく、長期にわたって見栄えの良い状態と良好な履き心地を保つことができる草履型室内履きとなることを見出した。また、本発明者は、さらに試行錯誤を重ね、第２挿通部３２及び第３挿通部３３のそれぞれを、第１挿通部３１から２目（約１０ｍｍ）ほど前方側に設けると、脱いだ時に鼻緒が持ち上がったままの形になりにくく、かつ、草履型室内履き１を履いたときの当たりが最も適当であり、履き心地が極めてよいことを見出した。
【００２７】
図８は、本発明の第１実施例である草履型室内履きの前ツボの取付状態説明図である。図８は土台に対する前ツボの取付状態を上面側から示した部分拡大図である。図８では土台に鼻緒の付け根部を取り付ける前の状態である。また、図９は、本発明の第１実施例である草履型室内履きの底面側部分拡大図（１）である。図９は土台に対して前ツボを結び付けた状態を示す。
【００２８】
図８及び図９に示されるとおり、前ツボ７の一方の端部７１ａが、右側から１つ目の内側紐部４２ａと２つ目の内側紐部４２ｂの間を通って前ツボ取付部９ａの裏面側に挿入され、前ツボ７の他方の端部７１ｂが、左側から１つ目の内側紐部４２ｄと２つ目の内側紐部４２ｃの間を通って前ツボ取付部９ｂの裏面側に挿入され、図９に示されるように、土台２の裏面側で互いに結び付けられている。
【００２９】
図１０は、本発明の第１実施例である草履型室内履きの底面側部分拡大図（２）である。図１０は土台の第３挿通部に挿入された鼻緒本体の各端部を土台の裏面側で結びつけた状態を、一部省略して底面側から示す。図１０に示されるように、鼻緒本体８の両端部８１ａ、８１ｂは、土台２の裏面側で互いに結び付けられている。
【００３０】
ここで、鼻緒６の構成について補足的に説明する。本実施例に係る草履型室内履き１は、土台２と鼻緒６とは別体として製作され、土台２に対して鼻緒６が後付けされる。鼻緒６を土台２と別体として形成することにより、履き心地や用途にあわせて任意の位置に鼻緒を結び付けることができ、鼻緒６が緩んでしまったときに締め直しやすい等の特長がある。なお、草履型室内履き１における各編み目の一段分の幅（長手方向寸法）は約５ｍｍであり、履物のサイズに応じて、編み上げられる段数も異なる。例えば、Ｓサイズであれば４０段、Ｍサイズであれば４５段、Ｌサイズであれば５０段、ＬＬサイズであれば５５段というように、編み上げられる段数を変えて作られる。鼻緒の長さもサイズに応じて変えて作られる。なお、段数や鼻緒の長さはこれに限定されない。
【００３１】
鼻緒６は、前ツボ７と鼻緒本体８とにより構成される。前ツボ７は、土台２の前方側（つま先側）に配置される鼻緒６の中腹部を土台に取り付けるために使用される部材であり、布材等により形成される。
【００３２】
前ツボ取付部９ａ、９ｂは、前ツボ７の端部７１を土台２の表面側から裏面側へ向けて挿入する部分であり、前ツボ７を配置したい土台２の編み目の間に設けられる。前ツボ７の一方の端部７１ａが土台２の骨格となる小ループ４５ａの一部である内側紐部４２ａと小ループ４５ｂの一部である内側紐部４２ｂの間を通るようにして挿通されており、前ツボ７の他方の端部７１ｂが同じく土台２の骨格となる小ループ４５ａの一部である内側紐部４２ｄと小ループ４５ｂの一部である内側紐部４２ｃの間を通るようにして挿通されているので、土台２に対して鼻緒６を強固に取り付けることができ、前ツボ７が位置ずれし難くなる。
【００３３】
鼻緒本体８は、その中腹部が前ツボ７に連結され、その各端部８１が、図７及び図１０に示されるように、端部取付部３に挿通されて裏面側で互いに結び付けられることにより土台２に対して着脱可能に取り付けられる。なお、鼻緒本体８のうち、土台２の表面側に配置され足の甲を覆う部分は、足の甲に接触する部位であるため筒状に形成された布材の内部に芯材やクッション材を入れることにより製作されている。また、鼻緒本体８のうち、各端部８１側は、土台２の編み目に挿入したり互いに結び付けたりし易いように、適宜の長さの布材により製作されている。
【００３４】
ここで、土台２の構成について補足的に説明する。図３に示されるとおり、土台２は、１本の紐材４をループさせることにより、草履型室内履き１の骨格を形成する。紐材４としては、一般には、ポリプロピレン製、ポリエチレン製その他の樹脂製の紐が用いられるが、本発明はこれらに限られず、麻紐や革紐等その特徴に応じて様々な素材のものを選択して使用することができる。本実施例ではポリプロピレン製の紐材を用いる。
【００３５】
土台２は、１本の樹脂製の紐材４をループ状にしたものに、ニットヤーン５を編み付けて製作される。ニットヤーン５は、例えば、綿等を原料としてメリヤス編み等の方法で編んで製作される編み紐で、伸縮性に優れ厚みがある。本実施例では、ニットヤーン５は、草履型室内履き専用に、幅が２０〜４０ｍｍ程度の長い紐状に編んで製作される。ニットヤーン５は、編み生地であるため両側端が丸まり、両側端が丸まることにより紐の短軸方向断面視外側の輪郭が略丸い楕円形となり、柔らかく厚みのある紐となる。これによりクッション性の高い布草履の土台を実現できる。色柄等が異なる様々なニット生地を利用することにより、バリエーションに富んだ趣向性・デザイン性の高い個性的な室内履きを製作することができる。
【００３６】
ループ状にした紐材４のうち、草履型室内履き１の長手（前後）方向に延びる部分（外側紐部４１ａ、４１ｂ及び内側紐部４２ａ、４２ｂ及び内側紐部４２ｃ、４２ｄ）は幅（左右）方向に間隔を設けて配置される。ニットヤーン５は、草履型室内履き１の幅方向に繰り返し往復させて紐材４に編み付けられる。詳細には、ニットヤーン５は、それぞれの内側紐部４２に対して、交差する方向から内側紐部４２に対して８の字を描くように、例えば、内側紐部４２ａ、４２ｂの上側を通したら、これに隣り合う内側紐部４２ｃ、４２ｄに対してはその下側を通すというように、そして、外側紐部４１ａ、４１ｂには巻きつけるようにして、編み付けられる。つま先側である前端側からかかと側である後端側へ所定の長手方向寸法に至るまでニットヤーン５を編み上げた後、紐材４の両端を引っ張ることにより、紐材４に編み付けられたニットヤーン５のそれぞれを相互に密接させる。紐材４の両端を引っ張ると、内側空間部４３は狭くなる。ニットヤーン５の端部は、裏側に折り返して編み込んで端処理をする。ニットヤーン５同士が密接した土台２の外表面は、ワラジ状の編み目が連続的に形成された凹凸面となる。本実施例は、紐材４の端を引っ張って土台２を形成する際に土台の厚みが増し、よりクッション性が高くなる。
【００３７】
本実施例においては、１本の紐材４を３回ループさせることにより、重なるようにして配置される縦長楕円形状の一対の小ループ４５ａ、４５ｂと、小ループ４５ａ、４５ｂのそれぞれに連なって小ループ４５ａ、４５ｂを大回りに横断するように配置される縦長楕円形状の大ループ４６とが設けられている。なお、このような紐材４の配置方法は単なる一例に過ぎない。
【００３８】
土台２には、鼻緒本体８の端部取付部３ａ、３ｂと、前ツボ取付部９ａ、９ｂとが設けられている。右側の端部取付部３ａは、鼻緒の付け根部８２の取付位置となる土台２の長手方向中間付近であって、右側の外側紐部４１ａとこれに隣り合って配置される内側紐部４２ａ、４２ｂとの間、すなわち、外側空間部４４ａに設けられる。左側の端部取付部３ｂは、鼻緒の付け根部８２の取付位置となる土台２の長手方向中間付近であって、左側の外側紐部４１ｂと、これに隣り合って配置される内側紐部４２ｃ、４２ｄとの間、すなわち、外側空間部４４ｂに設けられる。前ツボ取付部９ａ、９ｂは、土台２の長手方向前方に設けられている。なお、図示する場合にあっては、端部取付部３ａ、３ｂのそれぞれは、対称的に同一の位置に設けられているが、これに限られるものではなく、種々変更可能である。
【００３９】
端部取付部３ａ、３ｂは、いずれも、第１挿通部３１と、第２挿通部３２と、第３挿通部３３とにより構成され、編み目の間に設けられる。なお、第３挿通部３３は、第２挿通部３２と離隔している必要はなく、例えば、第２挿通部３２と同一箇所、又は、一部が重なるように設けるようにしても良い。例えば、鼻緒本体８の付け根部８２に回し付けられた端部を、第２挿通部３２と同じ箇所に設けられた第３挿通部３３に挿入するようにしても良い。
【００４０】
本実施例では、第２挿通部３２及び第３挿通部３３のそれぞれを、第１挿通部３１から２目（約１０ｍｍ）ほど前方側に設けてある。この点、本発明者は、第２挿通部３２及び第３挿通部３３のそれぞれを第１挿通部３１から１目（約５ｍｍ）ほど前方側に設けた場合（１目分の編み目に端部８１を巻き付けるようにした場合）には、図１１に示した従来方法よりはロック力があるものの、鼻緒本体８の付け根部８２に対するロック力（締結力）がまだ小さく、鼻緒６が引っ張られたときに鼻緒がやや持ち上がりやすいこと、一方、第２挿通部３２及び第３挿通部３３のそれぞれを第１連通部３１から４目（約２０ｍｍ）ほど前方側に設けた場合（４目分の編み目に端部８１を巻き付けるようにした場合）には、鼻緒本体８の付け根部８２に対するロック力がやや大き過ぎて、鼻緒６の動きが固定され、履いたときの当たりが強い（柔軟性に欠ける）ことを試行錯誤の末に見出したものである。
【００４１】
本実施例によれば、鼻緒の付け根部（固定部）をロックする力が十分強く、試し履きをしたり、鼻緒の具合を確かめる等のため鼻緒が引っ張られたときでも、鼻緒の付け根部から鼻緒本体が抜け出て持ち上がりにくいうえに、履いたときの当たりが最適である。したがって、脱いだ時に鼻緒が持ち上がったままの形になりにくく、全体形状が変形しにくい、長期にわたって見栄えの良い状態と良好な履き心地を保つことができる。試し履きされた後でも、売り物として再陳列する際の結び直しの手間が少なくなる。
【００４２】
｛製造方法｝
次に、本発明の第１実施例である草履型室内履き１の製造方法（製作工程）について説明する。なお、図３は、土台製作工程を示す図でもある。本実施例の草履型室内履き１の製造方法は、土台製作工程と、鼻緒取付工程とを含む。土台製作工程は、骨格となる紐材４とニットヤーン５とを用いてワラジ状の編み目を連続的に設けて土台２を製作するものであり、鼻緒取付工程は、鼻緒本体８と前ツボ７とにより構成される鼻緒を土台に対して取り付けるものである。
【００４３】
（土台製作工程）
先ず、土台２の製作工程について述べる。本実施例の草履型室内履き１の製造方法においては、土台製作工程は、紐材４を中央で大ループ４６、中央以外、すなわち両端それぞれで小ループ４５ａ、４５ｂを形成し、大ループ４６で土台２の外形を形作る左右一対の外側紐部４１ａ、４１ｂを形成し、小ループ４５ａ、４５ｂで外側紐部４１ａ、４１ｂのそれぞれに連なり左右一対の外側紐部４１ａ、４１ｂの間に配置される内側紐部４２を形成するステップを含む。
【００４４】
本実施例においては、図３に示すように、１本よりなる紐材４を、紐材４の一端側を右回りにループさせて小ループ４５ａを形成し、紐材４の他端側を左回りにループさせて小ループ４５ｂを形成し、それぞれループ４５ａ、４５ｂを重ねるように配置するとともに、左回りのループ端を右側に配置された内側紐部４２ａ、４２ｂの外側を通るようにループさせ、右回りのループ端を左側に配置された内側紐部４２ｃ、４２ｄの外側を通るようにループさせて大ループ４６を形成する（ループ形成ステップ）。ループ形成ステップを実行した後、外側紐部４１と内側紐部４２に対して、浮沈状にニットヤーン５を編み付ける編付ステップを実行する。それぞれのニットヤーン５は、紐部に対して浮き沈みするように編み付けられる。編み付けた後、紐材４の端部を引っ張り、余分な紐材４の端部は切断処理する。これらのステップを実行すると、土台２の外表面は、ワラジ状の編み目が連続的に形成された凹凸面となる。
【００４５】
（鼻緒取付工程）
次に、鼻緒６を土台２に対して取り付ける鼻緒取付工程について説明する。本実施例の草履型室内履き１の製造方法においては、鼻緒取付工程は、次に説明する第１ステップから第４ステップを含む。
【００４６】
第１ステップは、土台２の長手方向中間部であって外側紐部４１と内側紐部４２との間に設けられた第１挿通部に対して、鼻緒本体８の一端部８１を、土台２の表面側から裏面側へ向けて挿入するステップである。
【００４７】
第２ステップは、第１挿通部３１から６ｍｍ〜１９ｍｍ前方側であって、外側紐部４１と内側紐部４２との間に設けられた第２挿通部３２に対して、第１ステップを実行した後の鼻緒本体８の一端部８１を、土台２の裏面側から表面側へ向けて挿入するステップである。本実施例においては、第２挿通部３２は、第１挿通部３１から１０ｍｍ前方側に設けられている。
【００４８】
第３ステップは、第２ステップを実行した後の鼻緒本体８の一端部８１を、鼻緒８の付け根部８１に内側から上側を通って外側へと回し付けるステップである。
【００４９】
第４ステップは、第１挿通部３１から６ｍｍ〜１９ｍｍ前方側かつ第２挿通部３２より外側であって外側紐部４１と内側紐部４２との間に設けられた第３挿通部３３に対して、第３ステップを実行した後の鼻緒本体８の一端部８１を、土台２の表面側から裏面側へ向けて挿入するステップである。本実施例においては、第３挿通部３３は、第１挿通部３１から１０ｍｍ前方側に設けられている。
【００５０】
上記第１から第４ステップを含む鼻緒取付工程により、土台２に対して鼻緒６を取り付ける手順を、時系列に沿って、より具体的に説明する。すなわち、鼻緒取付工程は、より詳しくは、前ツボ７を土台２に取り付ける前ツボ取付工程と、鼻緒本体取付工程とを含むものであり、いずれの工程からでも実行することは可能であるが、好ましくは、前ツボ取付工程から実行される。
【００５１】
前ツボ取付工程は、鼻緒本体８の中腹部に前ツボ７を結び付けるステップＡと、土台２前端側の所定の位置に前ツボ７の各端部７１を挿入するステップＢと、ステップＢを実行することにより土台２の裏面側に出た各端部７１を引き出して土台２の裏面側で結び付けるステップＣとを含む。本実施例では、ステップＢにおいて、前ツボ７の一方の端部７１ａを前ツボ取付部９ａの表面側から２つの小ループ４５ａ、４５ｂの右側の重なり、即ち、右から１つ目の内側紐部４２ａと右から２つ目の内側紐部４２ｂの間を通して前ツボ取付部９ａの裏面側に挿入し、前ツボ７の他方の端部７１ｂを前ツボ取付部９ｂの表面側から２つの小ループ４５ａ、４５ｂの左側の重なり、即ち、左から１つ目の内側紐部４２ｄと左から２つ目の内側紐部４２ｃの間を通して前ツボ取付部９ｂの裏面側に挿入している。
【００５２】
鼻緒本体取付工程は、上記第１から第４ステップを含む工程である。鼻緒本体８の各端部８１を土台２に結び付ける場合には、鼻緒本体８の端部８１ａに対して第１〜第４ステップを実行し、次いで、鼻緒本体８の端部８１ｂに対して第１〜第４ステップを実行する。これにより、鼻緒本体８の両端部は、土台２の裏面側に挿通された状態となるので、それぞれの端部８１ａ、８１ｂを裏面側に引き出して、土台２の裏面側で互いに結び付ける（第５ステップ）。
【００５３】
本実施例では、第１〜５ステップを実行して草履型室内履きを製造する。本実施例では、鼻緒本体８の付け根部８２には鼻緒本体８の端部側が回し付けられているため、鼻緒本体８に引っ張り力が作用したとき、鼻緒本体８の付け根部８２が締め付けられ、鼻緒６が緩みにくく、鼻緒６が持ち上がりにくいという効果が生じる。鼻緒本体８は、土台２の外側紐部４１を巻き込むこと無く土台２に対して取り付けられるため、脱いだ時に鼻緒６が持ち上がったままの形になりにくい。また、試し履きをしたり、鼻緒の具合を確かめるため鼻緒が直接引っ張られたりしたときに、外側紐部が変形して、土台の骨格がゆがんでしまい、全体形状が変形してしまうという問題が生じにくい。
【００５４】
図１１は、従来の草履型室内履きの製作工程説明図である。図１１は土台に対して鼻緒を取り付ける過程を示す。後者のタイプにおける鼻緒の後付け手段の一つとして、従来、鼻緒本体１０８の端部１８１を土台１０２の裏面側に突き通した後、土台１０２の外縁１２１を巻き込むようにして外周側から土台１０２の表面側に回り込ませ、鼻緒本体１０８の付け根部１８２の上部を通るようにして（図１１の破線参照）、土台１０２の裏面側に向けて挿入し、最後に、土台１０２の裏面側において各端部１８１を相互に結び付ける方法が採られることが多かった。かかる方法により取り付けられた鼻緒１０６に足を通すと、足の厚みにより、鼻緒１０６が上方に引っ張られ、鼻緒本体１０８の付け根部１８２で保持されていた鼻緒本体１０８が前方に引っ張られて、上方に持ち上がりやすくなる。
【００５５】
図１１に示したような従来技術では、足の甲の高い人が試し履きをすると、特に人差し指側の鼻緒本体が前ツボ方向に引っ張られる等して形が崩れ、試し履きした跡が残ってしまうが、本実施例によれば、脱いだ時に鼻緒が持ち上がったままの形になりにくく、全体形状の変形が生じにくく、長期にわたって見栄えの良い状態と、良好な履き心地を保つことができる。本実施例によれば、足の甲が高い人が試し履きしたときであっても、試し履きした跡が残ってしまうことが極めて少ない。したがって、試し履きされた後でも、売り物として再陳列する際に、結び直しの手間が生じにくい。なお、鼻緒の長さについても、同じサイズの草履型室内履きにおいて、従来より両端各２ｃｍずつ短くて済み、コストダウンが図れる。
【００５６】
｛効果｝
以上詳細に述べたように、本実施例によれば、脱いだ時に鼻緒が持ち上がったままの形になりにくく、全体形状が変形しにくい、長期にわたって見栄えの良い状態と良好な履き心地を保つことができる。
【００５７】
なお、本発明は、上記実施の形態に限定されず、その発明の趣旨を逸脱しない範囲で種々の変形実施が可能である。また、上記各実施の形態の構成要素を発明の趣旨を逸脱しない範囲で任意に組み合わせることができる。
【符号の説明】
【００５８】
１    草履型室内履き
２    土台
３    端部取付部
３１  第１挿通部
３２  第２挿通部
３３  第３挿通部
４    紐材
４１  外側紐部
４２  内側紐部
４３  内側空間部
４４  外側空間部
４５  小ループ
４６  大ループ
５    ニットヤーン
６    鼻緒
７    前ツボ
７１  端部
８    鼻緒本体
８１  端部
８２  付け根部
９    前ツボ取付部
【図１】
2019141191.tif 000003
【図２】
2019141191.tif 000004
【図３】
2019141191.tif 000005
【図４】
2019141191.tif 000006
【図５】
2019141191.tif 000007
【図６】
2019141191.tif 000008
【図７】
2019141191.tif 000009
【図８】
2019141191.tif 000010
【図９】
2019141191.tif 000011
【図１０】
2019141191.tif 000012
【図１１】
2019141191.tif 000013